(57)【要約】【課題】着座部材と底壁部材とを接合する閉塞部材の充填圧による変形のない外観品質の優れる便座及びその製造方法を提供する。【解決手段】着座部材１１０が、使用者の臀部を支持する着座面部１１１と、この着座面部１１１の内周側及び外周側から垂れ下がるように形成された側面部１１２とを有し、底壁部材１２０が、大便器の上面と対向する底面部１２１と、この底面部１２１の内周側及び外周側から垂れ下がるように形成された下方延設部１２２とを有し、この下方延設部１２２と着座部材１１０の側面部１１２とが、一方が他方より下方へ突出するように嵌合しており、その突出部の側面に溶融樹脂からなる閉塞部材１３０が充填されて固化していることによって、着座部材１１０と底壁部材１２０とが接合されていることを特徴とする便座１００。【選択図】図４
2015181698.tif 000002
【特許請求の範囲】
【請求項１】
着座部材と、底壁部材とを有し、一方を治具に固定して他方と接合することにより中空状に形成され、大便器に載置されて使用する便座であって、
前記着座部材が、使用者の臀部を支持する着座面部と、該着座面部の内周側及び外周側から垂れ下がるように形成された側面部とを有し、
前記底壁部材が、大便器の上面と対向する底面部と、該底面部の内周側及び外周側から垂れ下がるように形成された下方延設部とを有し、
該下方延設部と前記着座部材の側面部とが、一方が他方より下方へ突出するように嵌合しており、その突出部の側面に溶融樹脂からなる閉塞部材が充填されて固化していることによって、前記着座部材と前記底壁部材とが接合されていることを特徴とする便座。
【請求項２】
前記底面部の下面と前記下方延設部の内壁面とが、曲面で連続していることを特徴とする請求項１記載の便座。
【請求項３】
前記下方延設部が、内周側については中心方向下向きに鋭角を成しており、外周側については半径方向下向きに鋭角を成していることを特徴とする請求項１又は請求項２記載の便座。
【請求項４】
前記着座部材の前記閉塞部材と接合する第一接合面と前記下方延設部の前記閉塞部材と接合する第二接合面とが、凹凸面を有していることを特徴とする請求項１乃至請求項３のいずれか１つに記載の便座。
【請求項５】
前記着座部材と前記底壁部材との間に形成される便座内空間に加熱手段を備えていることを特徴とする請求項１乃至請求項４のいずれか１つに記載の便座。
【請求項６】
使用者の臀部を支持する着座面部と該着座面部の内周側及び外周側から垂れ下がるように形成された側面部とを備える着座部材と、大便器の上面と対向する底面部と該底面部の内周側及び外周側から垂れ下がるように形成された下方延設部とを備える底壁部材とを有し、前記着座部材と前記底壁部材との接合により中空状に形成され、前記大便器に載置されて使用する便座の製造方法であって、
第一金型と第二金型との間に溶融樹脂を注入することで前記着座部材および前記底壁部材を成型する着座部材・底壁部材成型工程と、
前記着座部材を前記第一金型に、前記底壁部材を前記第二金型に、それぞれ保持しつつ前記第一金型と前記第二金型とを離間する成型金型離間工程と、
前記着座部材と前記底壁部材とが対向するように前記第一金型または前記第二金型を移動する成型金型移動工程と、
前記底壁部材の下方延設部の外壁面と、前記着座部材の側面部の内壁面とを嵌合する嵌合工程と、
前記着座部材と前記底壁部材との嵌合部の外側に閉塞部材を注入することで前記着座部材と前記底壁面部材とを接合する接合工程とからなることを特徴とする便座の製造方法。
【発明の詳細な説明】
【技術分野】
【０００１】
本発明は、射出成型により製造される中空構造を有した便座及びその製造方法に関する。
【背景技術】
【０００２】
便座は、着座部材と底面部材とを有した構成であり、一般に便座の製造方法は着座部材と底面部材とを成型する工程と、着座部材と底面部材とを溶着により接合する工程とから構成されている。
【０００３】
このような工程で中空構造を有する便座を製造すると、着座部材と底面部材との接合部に隙間が形成されてしまい、この隙間にゴミや埃が溜まってしまうという使用上の問題がある。
【０００４】
この問題を解決するために、着座部材と底面部材との接合部に形成される隙間に溶融物を充填することで隙間を無くした便座及びその製造方法が知られている（例えば、特許文献１参照）。
【先行技術文献】
【特許文献】
【０００５】
【特許文献１】特開平１０−２７６９３５号公報
【発明の概要】
【発明が解決しようとする課題】
【０００６】
特許文献１で開示されている便座とその製造方法を用いて便座を製造する場合、着座部材と底面部材とを成型する一次成型と、着座部材と底面部材との接合部に形成される隙間に溶融物を充填する二次成型を行う。
【０００７】
しかしながら、消費電力低減のために、現在では中空構造内に発熱手段を有する暖房便座においては、着座部材及び底壁部材の薄肉化が進んでおり、前述した便座の製造方法で便座を製造すると、便座が中空構造を有するために溶融物を充填する二次成形時に溶融物の充填圧により便座が変形してしまい、便座の外観品質を損ねてしまう恐れがある。
【０００８】
そこで、本発明は、前述したような従来技術の問題を解決するものであって、すなわち、本発明の目的は、着座部材と底壁部材とを接合する閉塞部材の充填圧による変形のない外観品質の優れる便座及びその製造方法を提供することである。
【課題を解決するための手段】
【０００９】
本請求項１に係る発明は、着座部材と、底壁部材とを有し、一方を治具に固定して他方と接合することにより中空状に形成され、大便器に載置されて使用する便座であって、前記着座部材が、使用者の臀部を支持する着座面部と、該着座面部の内周側及び外周側から垂れ下がるように形成された側面部とを有し、前記底壁部材が、大便器の上面と対向する底面部と、該底面部の内周側及び外周側から垂れ下がるように形成された下方延設部とを有し、該下方延設部と前記着座部材の側面部とが、一方が他方より下方へ突出するように嵌合しており、その突出部の側面に溶融樹脂からなる閉塞部材が充填されて固化していることによって、前記着座部材と前記底壁部材とが接合されていることにより、前述した課題を解決するものである。
【００１０】
本請求項１に係る発明の便座によれば、着座部材と底壁部材とが閉塞部材によって接合されていることにより、着座部材と底壁部材との間の隙間を塞ぐことができるばかりでなく、底壁部材が、大便器の上面と対向する底面部と、底面部の内周側及び外周側から垂れ下がるように形成された下方延設部とを有し、下方延設部と前記着座部材の側面部とが、一方が他方より下方へ突出するように嵌合していることにより、着座部材と底壁部材とを接合する際に底壁部材の下方延設部が底壁部材を保持する治具と当接することで、射出成型によって着座部材と底壁部材とを閉塞部材によって接合させる際に底壁部材にかかる閉塞部材の充填圧を治具で受けられるため、閉塞部材の充填圧による底壁部材の変形を防ぎ、外観品質の優れる便座を提供できる。
あるいは、着座部材と底壁部材とを接合する際に着座部材の下方延設部が着座部材を保持する治具と当接することで、射出成型によって着座部材と底壁部材とを閉塞部材によって接合させる際に着座部材にかかる閉塞部材の充填圧を治具で受けられるため、底壁部材の充填圧による着座部材の変形を防ぎ、外観品質の優れる便座を提供できる。
【００１１】
本請求項２に係る発明は、請求項１記載の構成に加えて、前記底面部の下面と前記下方延設部の内壁面とが、曲面で連続していることにより、前述した課題をさらに解決するものである。
【００１２】
本請求項２に係る発明の便座によれば、請求項１に係る発明が奏する効果に加えて、底面部と下方延設部との境界における応力集中が緩和されるため、便座強度を高めることができる。
さらに、底面部と下方延設部との間が滑らかに接続されるため、底壁部材の清掃性を向上させることができる。
【００１３】
本請求項３に係る発明は、請求項１又は請求項２記載の構成に加えて、前記下方延設部が、内周側については中心方向下向きに鋭角を成しており、外周側については半径方向下向きに鋭角を成していることにより、前述した課題をさらに解決するものである。
【００１４】
本請求項３に係る発明の便座によれば、請求項１又は請求項２に係る発明が奏する効果に加えて、着座部材と底壁部材とを嵌合する際に着座部材と底壁部材との位置あわせが容易になるため、便座製造時の不良率を低減させることができる。
さらに、底面部と下方延設部との接続部の開き角が鈍角となるため、底壁部材の清掃性を向上させることができる。
【００１５】
本請求項４に係る発明は、請求項１乃至請求項３のいずれか１つに記載の構成に加えて、前記着座部材の前記閉塞部材と接合する第一接合面と前記下方延設部の前記閉塞部材と接合する第二接合面とが、凹凸面を有していることにより、前述した課題をさらに解決するものである。
【００１６】
本請求項４に係る発明の便座によれば、請求項１乃至請求項３のいずれか１つに係る発明が奏する効果に加えて、着座部材および底壁部材と閉塞部材との接触面積が大きくなるため、さらに便座強度を高めることができる。
【００１７】
本請求項５に係る発明は、請求項１乃至請求項４のいずれか１つに記載の構成に加えて、前記着座部材と前記底壁部材との間に形成される便座内空間に加熱手段を備えていることにより、前述した課題を解決するものである。
【００１８】
本請求項５に係る発明の便座によれば、請求項１乃至請求項４のいずれか１つに係る発明が奏する効果に加えて、着座部材と底壁部材と間の隙間が塞がるため、便座内空間への水の侵入を防ぐことができる。
【００１９】
本請求項６に係る発明は、使用者の臀部を支持する着座面部と該着座面部の内周側及び外周側から垂れ下がるように形成された側面部とを備える着座部材と、大便器の上面と対向する底面部と該底面部の内周側及び外周側から垂れ下がるように形成された下方延設部とを備える底壁部材とを有し、前記着座部材と前記底壁部材との接合により中空状に形成され、前記大便器に載置されて使用する便座の製造方法であって、第一金型と第二金型との間に溶融樹脂を注入することで前記着座部材および前記底壁部材を成型する着座部材・底壁部材成型工程と、前記着座部材を前記第一金型に、前記底壁部材を前記第二金型に、それぞれ保持しつつ前記第一金型と前記第二金型とを離間する成型金型離間工程と、前記着座部材と前記底壁部材とが対向するように前記第一金型または前記第二金型を移動する成型金型移動工程と、前記底壁部材の下方延設部の外壁面と、前記着座部材の側面部の内壁面とを嵌合する嵌合工程と、前記着座部材と前記底壁部材との嵌合部の外側に閉塞部材を注入することで前記着座部材と前記底壁面部材とを接合する接合工程とからなることにより、前述した課題を解決するものである。
【００２０】
本請求項６に係る発明の便座の製造方法によれば、着座部材と底壁部材とを接合する際に底壁部材の下方延設部が底壁部材を保持する第二金型と当接することで、射出成型によって着座部材と底壁部材とを閉塞部材によって接合させる際に底壁部材にかかる閉塞部材の充填圧を第二金型で受けられるため、閉塞部材の充填圧による底壁部材の変形を防ぎ、外観品質の優れる便座を提供できる。
さらに、着座部材及び底壁部材の成型と、着座部材と底壁部材との接合とを一台の射出成型器で行うため、便座の製造効率を向上できる。
【発明の効果】
【００２１】
本発明により、着座部材と底壁部材との間の隙間を塞ぐことができるばかりでなく、閉塞部材の充填圧による底壁部材の変形を防ぎ、外観品質の優れる便座及びその製造方法を提供できる。
【図面の簡単な説明】
【００２２】
【図１】本発明の第１実施形態である便座の外観を表す斜視図。
【図２】図１におけるＡ−Ａ断面図。
【図３】図２における底壁部材のみを示す図。
【図４】図２における要部拡大図。
【図５】本発明の第１実施形態である便座の第１変形例のＡ−Ａ断面の要部拡大図。
【図６】本発明の第１実施形態である便座の第２変形例のＡ−Ａ断面図。
【図７】本発明の第１実施形態である便座の第３変形例のＡ−Ａ断面図。
【図８】本発明の第１実施形態である便座の製造工程のフローチャート。
【図９】本発明の第１実施形態である便座の製造工程において、成型を始める前の図１のＢ−Ｂ部の成型金型の断面図。
【図１０】着座部材・底壁部材成形工程における図１のＢ−Ｂ部の成型金型の断面図。
【図１１】成型金型移動工程における図１のＢ−Ｂ部の成型金型の断面図。
【図１２】加熱手段挿入工程における図１のＢ−Ｂ部の成型金型の断面図。
【図１３】嵌合工程における図１のＢ−Ｂ部の成型金型の断面図。
【図１４】図１３の要部拡大図。
【発明を実施するための形態】
【００２３】
以下に、本発明の第１実施形態である便座１００について、図１乃至図７に基づいて説明する。
【００２４】
図１に、本発明の第１実施形態である便座１００の外観を示す。便座１００は、大便器８００に載置されている。
【００２５】
図２に、便座１００の図１におけるＡ−Ａ断面図を示す。便座１００は、着座部材１１０と底壁部材１２０と閉塞部材１３０とから構成され、これらの材質はポリプロピレンである。
【００２６】
着座部材１１０と底壁部材１２０とが嵌合されることにより、便座１００は着座部材１１０と底壁部材１２０との間に便座内空間Ｖを有している。
便座１００が便座内空間Ｖを有していることにより、使用者の着座を検知する着座センサー、便座温度を測定するためのサーミスタ、使用者の臀部を暖めるためのヒーターなどの電装部品や便座の断熱性能を向上させるための断熱材などを便座内空間Ｖに挿入することができる。
【００２７】
着座部材１１０は、使用者の臀部を支持する着座面部１１１と、この着座面部１１１の内周側及び外周側から垂れ下がるように形成された側面部１１２とを有している。
【００２８】
閉塞部材１３０は、着座部材１１０と底壁部材１２０との間の隙間を塞いでいる。
【００２９】
図３に、Ａ−Ａ断面図における底壁部材１２０を示す。底壁部材１２０は、大便器８００の上面と対向する底面部１２１と、この底面部１２１の内周側及び外周側から垂れ下がるように形成された下方延設部１２２とを有している。
【００３０】
底壁部材１２０が下方延設部１２２を有することにより、着座部材１１０と底壁部材１２０とを接合する際に底壁部材１２０の下方延設部１２２が底壁部材１２０を保持する治具と当接することで、射出成型によって着座部材１１０と底壁部材１２０とを閉塞部材１３０によって接合させる際に底壁部材１２０にかかる閉塞部材１３０の充填圧を治具で受けられる。
【００３１】
底面部１２１の下面１２１ａと下方延設部１２２の下方延設部内壁面１２２ａとが、曲面で連続している。これにより、底面部１２１と下方延設部１２２との境界における応力集中が緩和される。
【００３２】
また、内周側において下方延設部１２２の下方延設部外壁面１２２ｂと底面部１２１の上面１２１ｂとが成す角θｉは鋭角であり、外周側において下方延設部１２２の下方延設部外壁面１２２ｂと底面部１２１の上面１２１ｂとが成す角θｏも鋭角である。
これにより、着座部材１１０と底壁部材１２０とを嵌合する際に着座部材１１０と底壁部材１２０との位置あわせが容易になることに加え、底面部１２１と下方延設部１２２との接続部１２３の開き角が鈍角となる。
【００３３】
なお、底面部端１２１ｂは図３においては鋭角となっているが、円弧状であってもよい。
【００３４】
図４に、便座１００の図１におけるＡ−Ａ断面図の要部拡大図を示す。下方延設部１２２は、着座部材１１０の側面部１１２の内壁面１１２ａと嵌合する嵌合面１２２ａと、着座部材１１０と嵌合した際に着座部材１１０の側面部１１２の下端よりも下方に突出している突出部である第二接合面１２２ｂとを有している。
【００３５】
着座部材１１０の側面部１１２の下端から底壁部材１２０の下方延設部１２２の下端に向けた仮想外形線Ｌと、着座部材１１０の端部にある第一接合面１１２ｂと、底壁部材１２０の第二接合面１２２ｂとによって囲まれた空間Ｓに溶融樹脂からなる閉塞部材１３０が充填されて固化していることで、着座部材１１０と底壁部材１２０とが接合されている。
【００３６】
閉塞部材１３０は、着座部材１１０の側面部１１２および底壁部材の下方延設部１２２と隙間なく滑らかに接続されるように空間Ｓに充填される。
これにより、着座部材１１０の第一接合面１１２ｂおよび底壁部材１２０の第二接合面１２２ｂと閉塞部材１３０との接合面に生じる応力集中が緩和されるため、便座強度を高めることができる。
【００３７】
図５に本発明の第１実施形態である便座１００の第２変形例を示す。第一接合面１１２ｂ及び第二接合面１２２ｂの表面積を増すために、凹凸面を設けてもよい。
第一接合面１１２ｂ及び第二接合面１２２ｂの表面積を増すことで、閉塞部材１３０との接触面積が増加する。
【００３８】
図６に本発明の第１実施形態である便座１００の第２変形例を示す。図２乃至図４においては、底壁部材１２０の下方延設部１２２が着座部材１１０の側面部１１２より下方に突出するように嵌合していたが、図６に示すように、着座部材１１０の側面部１１２が底壁部材１２０の下方延設部１２２より下方に突出するように嵌合してもよい。
【００３９】
図７に本発明の第１実施形態である便座１００の第３変形例を示す。着座部材１１０と底壁部材１２０とで構成される便座内空間Ｖに、ヒーター等の加熱手段１４０を挿入して便座１００を暖房便座としている。
着座部材１１０と底壁部材１２０との間の隙間が閉塞部材１３０によって閉塞されていることにより、便座内空間Ｖ内への水の浸入を防ぐ。
【００４０】
さらに、着座部材１１０の肉厚は底壁部材１２０の肉厚より薄い。これにより、効率よく使用者の臀部を加熱することができるため、消費電力を抑制することができる。
【００４１】
このようにして得られた本発明の第１実施形態である便座１００は、着座部材１１０が、使用者の臀部を支持する着座面部１１１と、この着座面部１１１の内周側及び外周側から垂れ下がるように形成された側面部１１２とを有し、底壁部材１２０が、大便器８００の上面と対向する底面部１２１と、この底面部１２１の内周側及び外周側から垂れ下がるように形成された下方延設部１２２とを有し、この下方延設部１２２と着座部材１１０の側面部１１２とが、一方が他方より下方へ突出するように嵌合しており、その突出部の側面に溶融樹脂からなる閉塞部材１３０が充填されて固化していることによって、着座部材１１０と底壁部材１２０とが接合されていることにより、閉塞部材１３０の充填圧による下方延設部１２２の変形を防ぎ、外観品質の優れる便座１００を提供することができる。
【００４２】
さらに、底面部１２１の下面１２１ａと下方延設部１２２の下方延設部内壁面１２２ａとが、曲面で連続していることにより、より一層便座強度を高めることができる。
加えて、底壁部材１２０の清掃性を向上させることができる。
【００４３】
さらに、下方延設部１２２が、内周側については中心方向下向きに鋭角を成しており、外周側については半径方向下向きに鋭角を成していることにより、便座製造時の不良率を低減させることができる。
加えて、底壁部材１２０の清掃性を向上させることができる。
【００４４】
さらに、着座部材１１０の閉塞部材１３０と接合する第一接合面１１２ｂと下方延設部１２２の閉塞部材１３０と接合する第二接合面１２２ｂとが、凹凸面を有していることにより、さらに便座強度を高めることができる。
【００４５】
さらに、着座部材１１０と底壁部材１２０との間の便座内空間Ｖに加熱手段を備えていることにより、便座内空間Ｖへの水の浸入を防ぐことができる。
【００４６】
本発明は、着座部材が、使用者の臀部を支持する着座面部と、該着座面部の内周側及び外周側から垂れ下がるように形成された側面部とを有し、
前記底壁部材が、大便器の上面と対向する底面部と、該底面部の内周側及び外周側から垂れ下がるように形成された下方延設部とを有し、
該下方延設部と前記着座部材の側面部とが、一方が他方より下方へ突出するように嵌合しており、その突出部の側面に溶融樹脂からなる閉塞部材が充填されて固化していることによって、前記着座部材と前記底壁部材とが接合されている便座において、着座部材と座面部材との嵌合部に充填する閉塞部材の充填圧による便座の変形を無くすものであれば、その具体的な実施態様は、如何なるものであっても構わない。
【００４７】
例えば、便座の材料はポリプロピレン樹脂、ＡＢＳ樹脂等の射出成型することが可能なものであれば、如何なるものであっても構わない。
また、着座部材と底壁部材との材質は同じである必要はない。
また、第１実施形態においては、底壁部材が下方延設部を有していたが、着座部材が下方延設部を有していてもよい。
【００４８】
続いて、本発明の第１実施形態である便座１００の製造方法について、図８乃至図１４に基づいて説明する。
【００４９】
図８は、本発明の第１実施形態である便座１００の製造方法のフローチャートであり、このフローチャートに沿って、本発明の第１実施形態である便座１００の製造方法を説明する。
【００５０】
図９は本発明の第１実施形態である便座の製造工程において、成型を始める前の図１のＢ−Ｂ部の成型金型の断面図である。
本製造方法で用いる便座成型金型２００は、凹型である第一金型２１０と、凸型である第二金型２２０とから構成されており、着座部材と底壁部材とを一対の金型で同時成型することができる。
【００５１】
まず、着座部材および底壁部材を成型する着座部材・底壁部材成形工程Ｓ１を行う。
【００５２】
図１０は、着座部材・底壁部材成形工程Ｓ１における図１のＢ−Ｂ部の成型金型の断面図であり、第一金型２１０と第二金型２２０との隙間に溶融樹脂Ｒを流し込むことで、着座部材１１０および底壁部材１２０を射出成型する。
【００５３】
次いで、第一金型２１０と第二金型２２０とを離間させる成型金型離間工程Ｓ２を行う。
第一金型２１０と第二金型２２０とを離間させる際、第一金型２１０に着座部材１１０、第二金型２２０に底壁部材１２０を保持する。
なお、成型金型への保持方法は、成型金型との嵌め合いであってもよいし、空気圧を利用するものであってもよい。
【００５４】
次いで、第一金型２１０を移動させる成型金型移動工程Ｓ３を行う。
【００５５】
図１１は、成型金型移動工程Ｓ３における図１のＢ−Ｂ部の成型金型の断面図である。
第一金型２１０に保持された着座部材１１０と、第二金型２２０に保持された底壁部材１２０とが対向するように、第一金型２１０を移動させる。
なお、本実施形態においては、第一金型２１０を移動させたが、第二金型２２０を移動させてもよい。
【００５６】
次いで、加熱手段１４０を挿入する加熱手段挿入工程Ｓ４を行う。
【００５７】
図１２は、加熱手段挿入工程Ｓ４における図１のＢ−Ｂ部の成型金型の断面図であり、加熱手段１４０を底壁部材１２０の上に載置する。
なお、本実施形態においては加熱手段１４０を底壁部材１２０の上に載置したが、着座部材１１０内部に挿入してもよい。
【００５８】
次いで、第一金型２１０と第二金型２２０とを嵌合させる嵌合工程Ｓ５を行う。
【００５９】
図１３は、嵌合工程Ｓ５における図１のＢ−Ｂ部の成型金型の断面図であり、図１４は図１３の要部拡大図である。
嵌合工程Ｓ５においては、底壁部材１２０の下方延設部１２２の外壁面と、着座部材１１０の側面部１１２の内壁面とを嵌合するように、第一金型２１０を移動させる。
なお、本実施形態においては、第一金型２１０を移動させたが、第二金型２２０を移動させてもよい。
【００６０】
次いで、第一金型２１０と第二金型２２０とを接合させる接合工程Ｓ６を行う。
【００６１】
底壁部材１２０の下方延設部１２２の外周面と、着座部材１１０の側面部１１２の内周側とを嵌合させた後、図１４に示すように、着座部材１１０の端部と下方延設部１２２の外周面とによって囲まれた空間Ｓに閉塞部材注入孔２１１より溶融樹脂Ｒを注入する。
これにより、着座部材１１０と底壁部材１２０とが溶融樹脂Ｒによって接合され、着座部材１１０と底壁部材１２０との間の隙間を塞ぐことができる。
【００６２】
この際、下方延設部１２２が第二金型２２０と当接していることにより、閉塞部材注入孔２１１から注入された溶融樹脂Ｒの充填圧を第二金型２２０で受ける。
【００６３】
なお、本実施形態においては、第一金型２１０が閉塞部材注入孔２１１を有していたが、第二金型２２０が閉塞部材注入孔を有してもよい。
【００６４】
接合工程Ｓ６終了後、便座成型金型２００を開くことにより、便座１００が完成する。
【００６５】
このようにして得られた本発明の第１実施形態である便座１００の製造方法は、着座部材１１０と底壁部材１２０とを接合する際に底壁部材１２０の下方延設部１２２が底壁部材１２０を保持する第二金型２２０と当接することで、射出成型によって着座部材１１０と底壁部材１２０とを閉塞部材１３０によって接合させる際に底壁部材１２０にかかる閉塞部材１３０の充填圧を第二金型２２０で受けられるため、閉塞部材１３０の充填圧による底壁部材１３０の変形を防ぎ、外観品質の優れる便座１００を提供できる。
さらに、着座部材１１０及び底壁部材１２０の成型と、着座部材１１０と底壁部材１２０との接合とを一台の射出成型器で行うため、便座１００の製造効率を向上できる。
【００６６】
本発明は、第一金型と第二金型との間に溶融樹脂を注入することで前記着座部材および前記底壁部材を成型する着座部材・底壁部材成型工程と、前記着座部材を前記第一金型に、前記底壁部材を前記第二金型に、それぞれ保持しつつ前記第一金型と前記第二金型とを離間する成型金型離間工程と、前記着座部材と前記底壁部材とが対向するように前記第一金型または前記第二金型を移動する成型金型移動工程と、前記底壁部材の下方延設部の外壁面と、前記着座部材の側面部の内壁面とを嵌合する嵌合工程と、前記着座部材と前記底壁部材との嵌合部の外側に閉塞部材を注入することで前記着座部材と前記底壁面部材とを接合する接合工程とからなる便座の製造方法において、閉塞部材の充填圧による底壁部材の変形を防ぎ、外観品質の優れる便座を提供できるものであれば、その具体的な実施態様は、如何なるものであっても構わない。
【符号の説明】
【００６７】
１００              ・・・  便座
１１０              ・・・  着座部材
１１１              ・・・  着座面部
１１２              ・・・  側面部
１１２ａ            ・・・  側面部内壁面
１１２ｂ            ・・・  第一接合面
１２０              ・・・  底面部材
１２１              ・・・  底面部
１２１ａ            ・・・  下面
１２１ｂ            ・・・  上面
１２１ｃ            ・・・  底面部端
１２２              ・・・  下方延設部
１２２ａ            ・・・  下方延設部内壁面
１２２ｂ            ・・・  下方延設部外壁面
１２２ｂａ          ・・・  嵌合面
１２２ｂｂ          ・・・  第二接合面（突出部）
１３０              ・・・  閉塞部材
１４０              ・・・  加熱手段
２００              ・・・  便座成型金型
２１０              ・・・  第一金型
２１１              ・・・  閉塞部材注入孔
２２０              ・・・  第二金型
８００              ・・・  大便器
Ｌ                  ・・・  仮想外形線
Ｒ                  ・・・  溶融樹脂
Ｓ                  ・・・  空間
Ｖ                  ・・・  便座内空間
θｉ、θｏ          ・・・  下方延設部外壁面と外壁面とが成す角
【図１】
2015181698.tif 000003
【図２】
2015181698.tif 000004
【図３】
2015181698.tif 000005
【図４】
2015181698.tif 000006
【図５】
2015181698.tif 000007
【図６】
2015181698.tif 000008
【図７】
2015181698.tif 000009
【図８】
2015181698.tif 000010
【図９】
2015181698.tif 000011
【図１０】
2015181698.tif 000012
【図１１】
2015181698.tif 000013
【図１２】
2015181698.tif 000014
【図１３】
2015181698.tif 000015
【図１４】
2015181698.tif 000016